(57)【要約】【課題】基板ケース内部の目視確認を妨げることなく、遊技機の検査の利便性の向上を図ること。【解決手段】基板ケース３１０は、遊技機の検査に関する部品を設置する設置領域５０１を備え、制御基板５５０の上面５１０および側面５１１を覆う。具体的には、この設置領域５０１には、受信アンテナ３３１と、非接触ＩＣタグ３３２とが設置されている。また、制御基板５５０は、遊技機を制御する電子部品５５１を搭載しており、設置領域５０１に対応した位置に電子部品５５１を配設しない空白領域５０２が設けられている。制御基板５５０上には、基板ケース３１０の内側を目視する際、設置領域５０１に設置された受信アンテナ３３１や非接触ＩＣタグ３３２の陰になる空白領域５０２が設けられている。【選択図】図７
2008289730.tif 000002
【特許請求の範囲】
【請求項１】
遊技機を制御する制御用の電子部品が配設された制御基板と、当該制御基板を覆う透明な基板ケースとを備える遊技機において、
前記基板ケースは、前記遊技機の検査に関する部品を設置する設置領域を有し、
前記制御基板は、前記設置領域に対応した位置に、前記電子部品を配設しない空白領域を設けたことを特徴とする遊技機。
【請求項２】
前記制御基板は、前記空白領域の大きさを前記設置領域以上の大きさとしたことを特徴とする請求項１に記載の遊技機。
【請求項３】
前記基板ケースは、当該基板ケースの内側に設置される前記制御基板に対して側面および上面を覆う透明部材によって形成され、
前記設置領域は、前記基板ケースの上面に設けられることを特徴とする請求項１または２に記載の遊技機。
【請求項４】
前記基板ケースは、前記設置領域に、前記遊技機を識別するための非接触ＩＣタグからの電波を受信する受信アンテナが設置されたことを特徴とする請求項１〜３のいずれか一つに記載の遊技機。
【請求項５】
前記基板ケースは、前記設置領域に、前記非接触ＩＣタグと前記受信アンテナとを対向させて設置することを特徴とする請求項４に記載の遊技機。
【請求項６】
前記制御基板は、前記空白領域に、前記非接触ＩＣタグが設置されたことを特徴とする請求項４に記載の遊技機。
【請求項７】
前記基板ケースは、前記設置領域に、当該遊技機の点検シールが貼付されたことを特徴とする請求項１〜６のいずれか一つに記載の遊技機。
【発明の詳細な説明】
【技術分野】
【０００１】
この発明は、遊技機を識別するための非接触ＩＣタグと、該非接触ＩＣタグからの電波を受信する受信アンテナとが取り付けられる遊技機に関する。
【背景技術】
【０００２】
従来より、パチンコ遊技機やスロット遊技機などの遊技機において、該遊技機を不正に改造して、遊技者が不当に遊技媒体を獲得する不正行為が後を絶たない。たとえば、遊技機の制御を司る主基板や該主基板に実装されているＲＯＭなどを不正なもの（いわゆる、裏ロムなど）に交換して、多くの遊技媒体を獲得する不正行為がおこなわれている。
【０００３】
これにより、パチンコホールなどの遊技場を営む店舗が被る被害が甚大なものとなっており、不正行為を防ぐために、各店舗において様々な不正対策がおこなわれている。たとえば、各店舗において、不正行為を監視するために、監視カメラを設置したり、従業員の数を増やしたりする対策が講じられている。
【０００４】
また、主基板や該主基板に実装されているＲＯＭに封印紙を貼付する技術が開示されている（たとえば、下記特許文献１参照。）。これによれば、主基板やＲＯＭを不正なものに交換する場合などに、正規の主基板やＲＯＭに貼付されていた封印紙を剥がして、不正なものに貼りかえると封印紙が破れてしまうので、不正行為を把握することができ、被害の拡大を抑えることができる。
【０００５】
【特許文献１】特開平１０−２１６３２４号公報
【発明の開示】
【発明が解決しようとする課題】
【０００６】
しかしながら、上述した特許文献１に記載の従来技術では、従業員が封印紙を目視チェックすることで不正行為を把握する構成であるため、裏ロムへの交換などの不正行為がなされてから従業員が封印紙を目視チェックするまでの間は、裏ロムによる不正な遊技がおこなわれてしまうこととなる。くわえて、裏ロムに精巧な偽造封印紙が貼付されてしまうと、不正行為がおこなわれたか否かを判断することは困難であるという問題があった。さらに、従業員が封印紙を目視チェックする場合、遊技機を開放して、該遊技機の内部に貼付されている封印紙を目視チェックする必要があるため、従業員の作業負担が増大してしまうという問題があった。
【０００７】
また、遊技機を開放せずに不正行為を把握するために、遊技機を識別するための非接触ＩＣタグを主基板やＲＯＭに貼付して、従業員が、非接触ＩＣタグからの識別情報を受信する受信アンテナを有する読取装置によって、遊技機の表側から非接触ＩＣタグの識別情報を読み取る方法が考えられる。
【０００８】
しかしながら、非接触ＩＣタグを用いる場合であっても、裏ロムへの交換などの不正行為がなされてから非接触ＩＣタグの識別情報を読み取るまでの間は、裏ロムによる不正な遊技がおこなわれてしまうこととなる。くわえて、従業員が遊技機ごとに非接触ＩＣタグの通信可能範囲内まで読取装置を近づけて識別情報を読み取る構成であるため、多数の遊技機に対する読取作業には、多大な時間や手間がかかってしまうという問題がある。
【０００９】
また、非接触ＩＣタグからの識別情報の読取作業の時間や手間を省くため、非接触ＩＣタグの通信可能範囲内となるように、主基板やＲＯＭを覆う基板ケースに受信アンテナを取り付けて、定期的に受信される識別情報を管理装置などで一括管理する方法も考えられる。
【００１０】
しかしながら、不正行為の検知時あるいは定期的に、従業員は、基板ケースの中の主基板やＲＯＭを目視チェックする必要があるため、基板ケースに受信アンテナを取り付ける場合、受信アンテナが主基板やＲＯＭの目視チェックの障害物となってしまう。特に、主基板やＲＯＭ上に受信アンテナの陰となる領域があると、該領域の不正の目視チェックが困難となってしまうという問題がある。
【００１１】
さらに、基板ケースには、遊技機の点検シールなど遊技機の検査に関する部品が取り付けられる場合がある。これら検査に関する部品によっても、上述の受信アンテナの取り付けの場合と同様に主基板やＲＯＭの目視チェックの障害物となってしまうことがあるという問題があった。
【００１２】
この発明は、上述した従来技術による問題点を解消するため、主基板やＲＯＭの目視確認を妨げることなく、不正行為を容易かつ的確に把握するために非接触ＩＣタグおよび受信アンテナや、その他の検査に関する部品を設置することで、検査の利便性の向上を図ることができる遊技機を提供することを目的とする。
【課題を解決するための手段】
【００１３】
上述した課題を解決し、目的を達成するため、この発明にかかる遊技機は、遊技機を制御する制御用の電子部品が配設された制御基板と、当該制御基板を覆う透明な基板ケースとを備える遊技機において、前記基板ケースは、前記遊技機の検査に関する部品を設置する設置領域を有し、前記制御基板は、前記設置領域に対応した位置に、前記電子部品を配設しない空白領域を設けたことを特徴とする。
【００１４】
この発明によれば、基板ケースの設置領域に対応した位置を空白領域としているため、基板ケースに検査に関する部品を設置した場合であっても、基板ケースの内部を適切に目視をおこなうことができる。
【００１５】
また、上記発明において、前記制御基板は、前記空白領域の大きさを前記設置領域以上の大きさとしてもよい。
【００１６】
この発明によれば、空白領域が設置領域以上であるため、基板ケースの内側を目視する際に設置領域の陰となる領域を空白領域に収めることができ、適切に目視をおこなうことができる。
【００１７】
また、上記発明において、前記基板ケースは、当該基板ケースの内側に設置される前記制御基板に対して側面および上面を覆う透明部材によって形成され、前記設置領域は、前記基板ケースの上面に設けられることとしてもよい。
【００１８】
この発明によれば、基板ケースの上面の領域を利用して、設置領域を設けることができる。
【００１９】
また、上記発明において、前記基板ケースは、前記設置領域に、前記遊技機を識別するための非接触ＩＣタグからの電波を受信する受信アンテナが設置されたこととしてもよい。
【００２０】
この発明によれば、設置領域を用いて、遊技機を識別するための非接触ＩＣタグからの電波を受信する受信アンテナを検査に関する部品として設置することができる。
【００２１】
また、上記発明において、前記基板ケースは、前記設置領域に、前記非接触ＩＣタグと前記受信アンテナとを対向させて設置することとしてもよい。
【００２２】
この発明によれば、設置領域を用いて、非接触ＩＣタグと受信アンテナとを対向させて設置することができる。
【００２３】
また、上記発明において、前記制御基板は、前記空白領域に、前記非接触ＩＣタグが設置されたこととしてもよい。
【００２４】
この発明によれば、空白領域を用いて、遊技機を識別するための電波を発信する非接触ＩＣタグを設置することができる。
【００２５】
また、上記発明において、前記基板ケースは、前記設置領域に、当該遊技機の点検シールが貼付されたこととしてもよい。
【００２６】
この発明によれば、設置領域を用いて、遊技機の点検シールを検査に関する部品として貼付することができる。
【発明の効果】
【００２７】
本発明にかかる遊技機によれば、基板ケース内部の目視確認を妨げることなく、基板ケースを利用して遊技機の検査に関する部品を設置して、遊技機の検査の利便性の向上を図ることができるという効果を奏する。
【発明を実施するための最良の形態】
【００２８】
（実施の形態）
以下に添付図面を参照して、本発明にかかる遊技機の好適な実施の形態を詳細に説明する。
【００２９】
（遊技機の基本構成）
図１は、本発明の遊技機の遊技盤の一例を示す正面図である。遊技盤１０１の下部位置に配置された発射部（図２参照）の駆動によって発射された遊技球は、レール１０２ａ，１０２ｂ間を上昇して遊技盤１０１の上部位置に達した後、遊技領域１０３内を落下する。遊技領域１０３には、図示を省略する複数の釘が設けられ、遊技球を各種の方向に向けて落下させるとともに、落下途中の位置には、遊技球の落下方向を変化させる風車や、入賞口が配設されている。
【００３０】
遊技盤１０１の遊技領域１０３の中央部分には、表示部１０４が配置されている。表示部１０４としては、たとえば、液晶表示器（ＬＣＤ）が用いられる。表示部１０４の下方には、始動入賞させるための始動入賞口１０５が配設されている。表示部１０４の左右には、それぞれ入賞ゲート１０６が配設されている。入賞ゲート１０６は、遊技球の通過を検出し、始動入賞口１０５を一定時間だけ開放させる抽選をおこなうために設けられる。表示部１０４の側部や下方などには普通入賞口１０７が配設されている。普通入賞口１０７に遊技球が入賞すると、普通入賞時の賞球数（たとえば、１０個）の払い出しをおこなう。遊技領域１０３の最下部には、どの入賞口にも入賞しなかった遊技球を回収する回収口１０８が設けられている。
【００３１】
上述した表示部１０４は、特定の入賞口に遊技球が入賞したとき（始動入賞時）に、複数の図柄の表示の変動を開始させ、所定時間後に図柄が停止する。この停止時に特定図柄（たとえば、「７７７」）が揃ったとき、大当たり状態となる。大当たり状態のとき、下方に位置する大入賞口１０９が一定の期間開放を所定ラウンド（たとえば、１５ラウンド）繰り返し、入賞した遊技球に対応した賞球数を払い出す。
【００３２】
図２は、遊技機の制御部の内部構成を示すブロック図である。制御部２００は、複数の制御部により構成されている。図示の例では、主制御部２０１と、演出制御部２０２と、賞球制御部２０３とを有する。主制御部２０１は、遊技機の遊技にかかる基本動作を制御する。演出制御部２０２は、遊技中の演出動作を制御する。賞球制御部２０３は、払い出す賞球数を制御する。
【００３３】
主制御部２０１は、ＲＯＭ２１２に記憶されたプログラムに基づき、遊技内容の進行に伴う基本処理を実行するＣＰＵ２１１と、ＣＰＵ２１１の演算処理時におけるデータのワークエリアとして機能するＲＡＭ２１３などを備えて構成される。主制御部２０１は、たとえば、主基板によってその機能を実現する。
【００３４】
この主制御部２０１の入力側には、始動入賞口１０５に入賞した遊技球を検出する始動入賞口検出部２２１と、入賞ゲート１０６を通過した遊技球を検出するゲート検出部２２２と、普通入賞口１０７に入賞した遊技球を検出する普通入賞口検出部２２３と、大入賞口１０９に入賞した遊技球を検出する大入賞口検出部２２４とが接続されている。これらの検出部としては、近接スイッチなどを用いて構成できる。
【００３５】
この主制御部２０１の出力側には、大入賞口開閉部２３１が接続され、この大入賞口開閉部２３１の開閉を制御する。大入賞口開閉部２３１は、大当たり時に大入賞口１０９を一定期間開放する機能であり、ソレノイドなどを用いて構成される。この大当たりは、生成した乱数に基づき所定の確率で発生するようあらかじめプログラムされている。
【００３６】
演出制御部２０２は、遊技中における演出制御をおこなう。この演出制御部２０２は、演出処理を実行するＣＰＵ２４１と、プログラムや背景画像、図柄画像、キャラクタ画像など各種画像データを記憶するＲＯＭ２４２と、ＣＰＵ２４１の演算処理時におけるデータのワークエリアとして機能するＲＡＭ２４３と、表示部１０４に表示させる画像データを書き込むＶＲＡＭ２４４などを備えて構成される。
【００３７】
演出制御部２０２では、ＣＰＵ２４１がＲＯＭ２４２に記憶されたプログラムを読み込んで、背景画像表示処理、図柄画像表示／変動処理、キャラクタ画像表示処理など各種画像処理を実行し、必要な画像データをＲＯＭ２４２から読み出してＶＲＡＭ２４４に書き込む。背景画像、図柄画像、キャラクタ画像は、表示画面上において表示部１０４に重畳表示される。すなわち、図柄画像やキャラクタ画像は背景画像よりも手前に見えるように表示される。
【００３８】
この場合、同一位置に背景画像と図柄画像が重なる場合、Ｚバッファ法など周知の陰面消去法により各画像データのＺバッファのＺ値を参照することで、図柄画像を優先してＶＲＡＭ２４４に記憶させる。演出制御部２０２は、たとえば、演出基板によってその機能を実現する。
【００３９】
この演出制御部２０２は、主制御部２０１から遊技中である各種データを受け取り、この遊技中における演出制御をおこなう。演出制御部２０２の出力側には、上述した表示部（ＬＣＤ）１０４と、ランプ制御部２５１が接続されている。演出制御部２０２は、表示部（ＬＣＤ）１０４に対しては、遊技中における演出内容、たとえば、図柄の移動表示や、リーチ（３つの図柄のうち２つが揃った状態）、および大当たり時の各種表示情報を生成して出力する。演出制御部２０２は、ランプ制御部２５１に対しては、遊技盤１０１や台枠などに設けられている各種ランプ２６２に対する点灯制御などをおこなうデータを出力する。
【００４０】
賞球制御部２０３は、ＲＯＭ２８２に記憶されたプログラムに基づき、賞球制御をおこなう。この賞球制御部２０３は、賞球制御の処理を実行するＣＰＵ２８１と、ＣＰＵ２８１の演算処理時におけるデータのワークエリアとして機能するＲＡＭ２８３などを備えて構成される。賞球制御部２０３は、たとえば、賞球基板によってその機能を実現する。
【００４１】
賞球制御部２０３は、接続される払出部２９１に対して入賞時の賞球数を払い出す制御をおこなう。また、発射部２９２に対する遊技球の発射の操作を検出し、遊技球の発射を制御する。払出部２９１は、遊技球の貯留部から所定数を払い出すためのモータなどからなる。賞球制御部２０３は、この払出部２９１に対して、各入賞口（始動入賞口１０５、普通入賞口１０７、大入賞口１０９）に入賞した遊技球に対応した賞球数を払い出す制御をおこなう。発射部２９２は、遊技のための遊技球を発射するものであり、遊技者による遊技操作を検出するセンサと、遊技球を発射させるソレノイドなどを備える。賞球制御部２０３は、発射部２９２のセンサにより遊技操作を検出すると、検出された遊技操作に対応してソレノイドなどを駆動させて遊技球を間欠的に発射させ、遊技盤１０１の遊技領域１０３に遊技球を送り出す。
【００４２】
上記構成の主制御部２０１と、演出制御部２０２と、賞球制御部２０３は、それぞれ異なるプリント基板（主基板、演出基板、賞球基板）に設けられる。これに限らず、たとえば、賞球制御部２０３は、主制御部２０１と同一のプリント基板上に設けることもできる。
【００４３】
（遊技機の基本動作）
上記構成による遊技機の基本動作の一例を説明する。主制御部２０１のＣＰＵ２１１により遊技中の制御がおこなわれ、各入賞口に対する遊技球の入賞状況を賞球制御部２０３に出力し、賞球制御部２０３は、入賞状況に対応した賞球数の払い出しをおこなう。
【００４４】
また、始動入賞口１０５に遊技球が入賞するごとに、対応する制御信号を演出制御部２０２に出力し、演出制御部２０２は、表示部１０４の図柄を変動表示させ、停止させることを繰り返す。大当たりの発生が決定しているときには、対応する制御信号を演出制御部２０２に出力し、演出制御部２０２は、所定の図柄で揃えて停止させる。このとき同時に、大入賞口１０９を開放する制御をおこなう。演出制御部２０２は、大当たり発生期間中、および大当たり発生までの間のリーチ時や、リーチ予告時などには、表示部１０４に対して、図柄の変動表示にくわえて各種の演出表示をおこなう。このほか、演出制御部２０２は、遊技中における演出内容や遊技状態に応じて、各種役物に対して特定の駆動をおこなったり、ランプ２６２の表示状態を変更するなどの演出をおこなう。
【００４５】
そして、大当たり発生時には、大入賞口１０９が複数回開放される。１回の開放が１ラウンドとして、たとえば、１５回のラウンドが繰り返し実行される。１ラウンドの期間は、たとえば、遊技球が１０個入賞したとき、あるいは所定期間（たとえば、３０秒）とされている。この際、賞球制御部２０３は、大入賞口１０９に対する遊技球１個の入賞あたり１５個の賞球数で払い出しをおこなう。大当たり終了後は、この大当たり状態が解除され、通常の遊技状態に復帰する。
【００４６】
（遊技機の背面構成）
ここで、図３を用いて、本発明の遊技機の背面について説明する。図３は、本発明の遊技機の背面図である。図３は、図１に示した遊技盤１０１を裏面から見た状態であり。図示の例では、遊技機３００は、機枠３０１に嵌め込まれており、サンド装置３０２と接続されている。
【００４７】
サンド装置３０２は、遊技機３００での遊技に使用する遊技球や遊技メダルなどの遊技媒体を貸し出すコンピュータ装置である。すなわち、サンド装置３０２は、たとえば、遊技者から投入されたカードなどに記憶されている入金情報に応じて、遊技媒体の貸し出しに関する信号を遊技機３００に送信する機能を有する。また、サンド装置３０２は、検知部３３４を備え、後述する受信アンテナ３３１によって受信される電波の状態に応じて、基板ケース３１０や各種制御基板への不正行為を検知する。
【００４８】
また、遊技機３００は、図２に示した主制御部２０１、演出制御部２０２、賞球制御部２０３などを実現する各種制御基板を覆う基板ケース３１０（３１０ａ，３１０ｂ，３１０ｃ）と、該基板ケース３１０ｃを覆う裏カバー３２０と、を有している。
【００４９】
基板ケース３１０は、外部から主基板、演出基板、賞球基板などの各種制御基板の不正改造や、不正基板への交換などの不正行為ができないように該各種制御基板の上面および側面を覆う構成である。さらに、基板ケース３１０は、透明ケースによって形成されており、各種制御基板の不正改造や、不正基板への交換などの不正行為に対して目視確認ができる。より具体的には、たとえば、主基板は基板ケース３１０ａ、賞球基板は基板ケース３１０ｂ、演出基板は基板ケース３１０ｃにそれぞれ覆われている。
【００５０】
また、裏カバー３２０は、透明ケースによって構成されており、基板ケース３１０ｃの外側に配設されている接続ケーブルを保護する。具体的には、裏カバー３２０によって、各種制御基板やその他遊技機の部品に接続される接続ケーブルが保護されている。
【００５１】
また、詳細は図４〜図８を用いて説明するが、本発明の遊技機３００は、基板ケース３１０や各種制御基板には、非接触ＩＣ（Ｉｎｔｅｇｒａｔｅｄ  Ｃｉｒｃｕｉｔ）タグ３３２と、該非接触ＩＣタグ３３２からの電波を受信する受信アンテナ３３１が設置されている。受信アンテナ３３１は、ケーブル３３３によって検知部３３４と接続され、受信された電波に関する情報を検知部３３４へ出力する。
【００５２】
具体的には、受信アンテナ３３１は、非接触ＩＣタグ３３２から送信される遊技機３００を識別する識別情報を含む電波を受信して、受信された識別情報をケーブル３３３を介して検知部３３４へ出力することとしてもよい。検知部３３４は、たとえば、識別情報が入力されない場合、基板ケース３１０や各種制御基板への不正行為があったことを検知する構成でもよい。また、図３の説明では、受信アンテナ３３１は、ケーブル３３３によってサンド装置３０２に接続されることとしたが、その他外部機器に接続される構成でもよく、その場合、該外部機器によって不正行為を検知することとなる。
【００５３】
（受信アンテナおよび非接触ＩＣタグの概要）
つぎに、図４を用いて、本発明の受信アンテナ３３１および非接触ＩＣタグ３３２の概要について説明する。図４は、本発明の受信アンテナおよび非接触ＩＣタグの概要を示す説明図である。
【００５４】
図４において、図３に示した受信アンテナ３３１は、アンテナ基板４０１と、アンテナコイル４０２と、ケーブル３３３と、から構成されている。また、非接触ＩＣタグ３３２は、タグ基板４１１と、コイル４１２と、ＩＣチップ４１３と、から構成されている。
【００５５】
受信アンテナ３３１は、アンテナ基板４０１上に形成されたアンテナコイル４０２によって、所定範囲内に設置される非接触ＩＣタグ３３２と通信をおこなう。具体的には、受信アンテナ３３１は、図３に示した基板ケース３１０の表面に設置され、非接触ＩＣタグ３３２と通信をおこなう。ここで、所定範囲は、受信アンテナ３３１と非接触ＩＣタグ３３２との通信特性によって決められ、たとえば、２．０ｃｍ以内の範囲に設定される。
【００５６】
アンテナコイル４０２は、アンテナ基板４０１の外縁に沿って、所定径を有する略四角状の環状に形成されており、ケーブル３３３と接続されている。また、アンテナコイル４０２は、アンテナ基板４０１の形状にもよるが、これ以外、楕円状や円状としてもよい。ケーブル３３３は、図３に示した検知部３３４に接続されている。具体的には、検知部３３４は、図示しないリードライト基板を備えており、ケーブル３３３によって該リードライト基板と、受信アンテナ３３１とが接続される構成としてもよい。
【００５７】
なお、図４では図示しないが、アンテナ基板４０１は、透明部材によって形成されたり、アンテナコイル４０２の内側における所定径の領域が開口された構成でもよい。このようにすることで、たとえば、図３に示した基板ケース３１０に受信アンテナ３３１を設置した場合でも、基板ケース３１０内部に設置された各種制御基板を、該基板ケース３１０の外側から目視することができる。
【００５８】
非接触ＩＣタグ３３２は、タグ基板４１１上に設置されたＩＣチップ４１３の制御にしたがって、コイル４１２を介して、所定範囲内に設置される受信アンテナ３３１と通信をおこなう。具体的には、非接触ＩＣタグ３３２は、図３に示した基板ケース３１０に設置され、該基板ケース３１０表面に設置された受信アンテナ３３１と通信をおこなう構成でもよい。また、非接触ＩＣタグ３３２は、基板ケース３１０の代わりに各種制御基板に設置されたり、基板ケース３１０および各種制御基板に設置される構成としてもよい。
【００５９】
また、非接触ＩＣタグ３３２は、ＩＣチップ４１３の制御にしたがって、遊技機３００の識別情報を受信アンテナ３３１に送信する。すなわち、所定範囲内に受信アンテナ３３１がある場合、該受信アンテナ３３１によって非接触ＩＣタグ３３２からの識別情報が受信されることとなり、所定範囲内に受信アンテナ３３１がない場合、識別情報が受信されない構成である。したがって、各種制御基板の不正改造や不正基板への交換などの不正行為の際、受信アンテナ３３１と、非接触ＩＣタグ３３２との間の距離が所定範囲外となると、識別情報が受信できなくなり、図３に示した検知部３３４によって不正行為を検知することができる。換言すれば、非接触ＩＣタグ３３２からの電波が受信できずに遊技機３００が識別できなくなることで、不正行為を検知することができる。
【００６０】
なお、図４では説明を省略したが、タグ基板４１１は透明部材（たとえば、シール）であってもよく、図３に示した基板ケース３１０（３１０ａ，３１０ｂ，３１０ｃ）にタグ基板４１１を貼付した場合であっても、基板ケース３１０内部に設置された各種制御基板を、該基板ケース３１０の外側から目視することができる。
【００６１】
（設置領域の概要）
つぎに、図５〜図８を用いて、本発明の実施の形態にかかる受信アンテナ３３１および非接触ＩＣタグ３３２の設置の概要について説明する。図５は、本発明の実施の形態にかかる基板ケースの斜視図の一例を示す説明図である。また、図６は、本発明の実施の形態にかかる図５に示した基板ケースのＡ−Ａ矢視図の一例を示す説明図である。
【００６２】
図５において、制御基板５５０は、基板ケース３１０に覆われている。具体的には、基板ケース３１０は、遊技機３００の検査に関する部品を設置する設置領域５０１を備え、制御基板５５０の上面５１０および側面５１１を覆う構成である。検査に関する部品は、たとえば、遊技機３００の点検シールや図４に示した受信アンテナ３３１や非接触ＩＣタグ３３２などであり、本発明の実施の形態では、受信アンテナ３３１や非接触ＩＣタグ３３２について説明する。
【００６３】
制御基板５５０は、遊技機３００を制御する電子部品５５１を搭載しており、設置領域５０１に対応した位置に電子部品５５１を配設しない空白領域５０２が設けられている。また、図６は、図５に示したＡ−Ａ矢視を示している。
【００６４】
基板ケース３１０の上面５１０は、基板ケース３１０の内部に設置された制御基板５５０に対して略平行な面によって構成され、側面５１１は、制御基板５５０に対して略垂直な面によって構成されており、基板ケース３１０および制御基板５５０によって、いわゆる直方体を形成する。
【００６５】
ここで、基板ケース３１０において、制御基板５５０に向いている側の面を裏面５３０、制御基板５５０に向いていない側の面を表面５２０として説明する。すなわち、基板ケース３１０において、上面５１０および側面５１１の外側が表面５２０、該上面５１０および側面５１１の内側が裏面５３０である。
【００６６】
さらに、基板ケース３１０は、該基板ケース３１０の内部を外部から目視可能な透明部材によって形成されている。具体的には、基板ケース３１０は、基板ケース３１０の内部に設置された制御基板５５０に搭載された電子部品５５１や、該制御基板５５０そのものに不正行為がないか目視するため、透明部材によって形成される。
【００６７】
図５および図６の構成において、設置領域５０１は、基板ケース３１０の上面５１０に設けられている。詳細は図７および図８を用いて説明するが、設置領域５０１は、基板ケース３１０の上面５１０の表面５２０および裏面５３０に設けられ、図４に示した非接触ＩＣタグ３３２や該非接触ＩＣタグからの電波を受信する受信アンテナ３３１などが設置される。なお、本発明の実施の形態では、設置領域５０１に非接触ＩＣタグ３３２や受信アンテナ３３１を設置することとして説明するが、点検用の点検シールなど遊技機３００の検査に関する部品を設置する構成でもよい。また、設置領域５０１は１つに限ることなく複数あってもよく、複数の設置領域５０１に、非接触ＩＣタグ３３２や受信アンテナ３３１や遊技機３００の検査に関する部品を設置してもよい。
【００６８】
空白領域５０２は、制御基板５５０上における電子部品５５１が配設されていない領域で、設置領域５０１に対応した位置に設けられている。具体的には、空白領域５０２は、基板ケース３１０の上面５１０側から該基板ケース３１０の内側を目視する際、設置領域５０１の陰になる領域である。このように、設置領域５０１の陰になる領域に電子部品５５１を配設しない構成とすれば、基板ケース３１０の内側の目視を妨げることがないため、外側から適切に目視することができる。また、図示はしないが空白領域５０２には、非接触ＩＣタグ３３２が設置されていてもよく、設置領域５０１に設けられた受信アンテナ３３１によって該非接触ＩＣタグ３３２からの電波を受信する構成でもよい。
【００６９】
図７は、本発明の実施の形態にかかる受信アンテナおよび非接触ＩＣタグの設置の一例を示す説明図である。図７において、設置領域５０１には、受信アンテナ３３１と、非接触ＩＣタグ３３２とが設置されている。具体的には、受信アンテナ３３１は、ケーブル３３３によって図示しない検知部３３４に接続され、基板ケース３１０の上面５１０における表面５２０に設けられた設置領域５０１に設置されている。
【００７０】
また、非接触ＩＣタグ３３２は、基板ケース３１０の上面５１０における裏面５３０に設けられた設置領域５０１に設置されている。受信アンテナ３３１と、非接触ＩＣタグ３３２とは、所定範囲（たとえば、２．０ｃｍ程度）内であり、設置領域５０１の表面５２０および裏面５３０に対向して設置されている。
【００７１】
また、制御基板５５０上には、基板ケース３１０の内側を目視する際、設置領域５０１に設置された受信アンテナ３３１や非接触ＩＣタグ３３２の陰になる空白領域５０２が設けられている。この空白領域５０２には、電子部品５５１が配設されていないため、目視確認の必要性がないため、制御基板５５０の目視を妨げることはない。
【００７２】
この空白領域５０２は、たとえば、設置領域５０１以上の大きさである。すなわち、基板ケース３１０の内側を該基板ケース３１０の上側から目視する際、受信アンテナ３３１や非接触ＩＣタグ３３２の陰になる領域には電子部品５５１が配設されないこととなる。また、本発明の実施の形態では、基板ケース３１０を上側から目視する場合について説明しているが、斜め上から目視する場合なども考慮すれば、空白領域５０２を設置領域５０１よりも小さい領域としてもよい。このようにすれば、制御基板５５０における電子部品５５１を配設する領域を広くすることができる。
【００７３】
図７に示すように、基板ケース３１０の上面５１０において、表面５２０に受信アンテナ３３１を設置して、裏面５３０に非接触ＩＣタグ３３２を設置する構成とすれば、制御基板５５０の不正改造や不正基板への交換などの不正行為の際に、受信アンテナ３３１と、非接触ＩＣタグ３３２との間の距離が所定範囲外となった場合に、迅速かつ的確に不正を検知することができる。
【００７４】
くわえて、不正を検知して、使用者（たとえば、パチンコホールの従業員）が基板ケース３１０の内部を目視確認する場合であっても、受信アンテナ３３１や非接触ＩＣタグ３３２の陰になる領域は、空白領域５０２であるため、目視を妨げることなく、適切な目視確認を促すことができる。
【００７５】
また、あらかじめ受信アンテナ３３１を基板ケース３１０内部に組み込まなくてもよいため、サンド装置３０２など外部機器から導出されている受信アンテナ３３１を利用することができる。すなわち、遊技機３００の機種の入れ替えがあっても同じ受信アンテナ３３１を使用できるため、入れ替えごとに受信アンテナ３３１を用意しなくてもよく、設備コストの低減を図ることができる。
【００７６】
つぎに、図８を用いて、受信アンテナ３３１および非接触ＩＣタグ３３２の設置について、図７とは異なる別の例について説明する。図８は、本発明の実施の形態にかかる受信アンテナおよび非接触ＩＣタグの設置の別の一例を示す説明図である。図８において、設置領域５０１には、受信アンテナ３３１が設置されている。具体的には、受信アンテナ３３１は、ケーブル３３３によって図示しない検知部３３４に接続され、基板ケース３１０の上面５１０における表面５２０に設けられた設置領域５０１に設置されている。
【００７７】
また、空白領域５０２には、非接触ＩＣタグ３３２が設置されている。具体的には、非接触ＩＣタグ３３２は、制御基板５５０上において、遊技機３００を制御する電子部品５５１が配設されない空白領域５０２に設置される。空白領域５０２は、基板ケース３１０の内側を目視する際、設置領域５０１に設置された受信アンテナ３３１の陰になる領域であり、電子部品５５１が配設されていないため目視確認の必要性がない。すなわち、非接触ＩＣタグ３３２は、電子部品５５１が配設されない空白領域５０２を利用して、目視確認を妨げることなく設置されることとなる。
【００７８】
そして、受信アンテナ３３１と、非接触ＩＣタグ３３２とは、所定範囲（たとえば、２．０ｃｍ程度）内であり、設置領域５０１の表面５２０および裏面５３０に対向して設置されている。
【００７９】
図８に示すように、設置領域５０１に受信アンテナ３３１を設置して、空白領域５０２に非接触ＩＣタグ３３２を設置する構成とすれば、制御基板５５０の不正改造や不正基板への交換などの不正行為の際に、受信アンテナ３３１と、非接触ＩＣタグ３３２との間の距離が所定範囲外となった場合に、迅速かつ的確に不正を検知することができる。
【００８０】
くわえて、不正を検知して、使用者（たとえば、パチンコホールの従業員）が基板ケースの内部を目視確認する場合であっても、設置領域５０１（受信アンテナ３３１が設置された領域）の陰になる領域は、空白領域５０２であるため、目視を妨げることなく、適切な目視確認を促すことができる。さらに、空白領域５０２に非接触ＩＣタグ３３２を設置する構成であるため、制御基板５５０上の領域を有効利用して、電子部品５５１を配設する領域を広くすることができる。
【００８１】
また、あらかじめ受信アンテナ３３１を基板ケース３１０内部に組み込まなくてもよいため、サンド装置３０２など外部機器から導出されている受信アンテナ３３１を利用することができる。すなわち、遊技機３００の機種の入れ替えがあっても同じ受信アンテナ３３１を使用できるため、入れ替えごとに受信アンテナ３３１を用意しなくてもよく、設備コストの低減を図ることができる。
【００８２】
また、図７および図８の説明では、受信アンテナ３３１や非接触ＩＣタグ３３２の設置領域５０１を１つとして説明したが、遊技機３００における基板ケース３１０に複数の設置領域５０１を備える構成としてもよい。具体的には、図３に示した基板ケース３１０ａ，３１０ｂ，３１０ｃのそれぞれに設置領域５０１を設ける構成とすれば、いずれかの制御基板５５０（たとえば、主基板、演出基板、賞球基板など）に対する不正を的確に検知することができる。
【００８３】
また、図７および図８の説明では、受信アンテナ３３１と、非接触ＩＣタグ３３２とを分離した状態で設置する構成としたが、受信アンテナ３３１および非接触ＩＣタグ３３２からなるユニットを設置領域５０１あるいは空白領域５０２に設置する構成としてもよい。このようにすれば、受信アンテナ３３１と、非接触ＩＣタグ３３２とをそれぞれ設置しなくてもよいため設置の手間が省略でき、受信アンテナ３３１あるいは非接触ＩＣタグ３３２に対する改造の際、ユニットの分離やユニット全体の改造が必要となるため不正がしにくくなる。
【００８４】
以上説明したように、本発明の実施の形態によれば、遊技機の検査に関する部品を基板ケースを利用して設置することができる。くわえて、基板ケースの内部を目視確認する場合に、制御基板において設置領域の陰となる領域を空白領域としているため、検査に関する部品を基板ケースに設置した場合でも、適切な目視検査をおこなうことができる。
【００８５】
また、本発明の実施の形態では説明を省略したが、受信アンテナや非接触ＩＣタグを設置する際は、基板ケースに設けられた凹部に収容して蓋で覆う構成としたり、受信アンテナや非接触ＩＣタグ用の収容ケースを形成して設置する構成としてもよい。このように受信アンテナや非接触ＩＣタグを外部から直接触れることができないようにすれば、受信アンテナや非接触ＩＣタグを改造するといった不正を防ぐことができる。
【００８６】
さらに、本発明の実施の形態では説明を省略したが、制御基板上の空白領域は、電子部品のレイアウトによっては略長方形の形状ではなく、多角形や楕円形や鉤形などの場合がある。この場合、設置領域や該設置領域に設置する検査に関する部品（たとえば、図４に示した受信アンテナや非接触ＩＣタグ）の形状を制御基板上の空白領域の形状に応じた形状とする構成とすればよい。このようにすることで、制御基板のレイアウトによることなく、検査に関する部品を設置することができるため、本発明の汎用性の向上を図ることができる。
【００８７】
また、上記実施の形態では、非接触ＩＣタグ３３２のタグ基板４１１はシール等の透明部材（たとえば、シール）で構成した。これに限らず、本願発明ではシール部材が不透明であっても制御基板の視認を妨げることがない。このため、シール剥がし剤など特殊な溶液を使って正規の非接触ＩＣタグ３３２を剥がし、別の基板に貼付するなどの不正が行われた場合の対策として、非接触ＩＣタグ３３２には、このようなシール剥がし溶剤に反応する薬剤をしみこませた紙製のシールを貼付する構成として、不正を検出することもできるようになる。
【００８８】
以上説明したように、本発明によれば、基板ケース内部の目視確認を妨げることなく、基板ケースを利用して遊技機の検査に関する部品を設置して、遊技機の検査の利便性の向上を図ることができる。すなわち、基板ケースを利用して遊技機の検査に関する部品を設置する場合であっても、基板ケースの内部の目視検査を妨げることなく、遊技の提供者（たとえば、パチンコ事業者）は、適切な目視検査をおこなうことができる。
【産業上の利用可能性】
【００８９】
以上のように、本発明にかかる遊技機は、パチンコ遊技機、スロット遊技機、その他各種遊技機に有用であり、特に、パチンコホールやゲームセンター（プレイランド）での設置、使用に適している。
【図面の簡単な説明】
【００９０】
【図１】本発明の遊技機の遊技盤の一例を示す正面図である。
【図２】遊技機の制御部の内部構成を示すブロック図である。
【図３】本発明の遊技機の背面図である。
【図４】本発明の受信アンテナおよび非接触ＩＣタグの概要を示す説明図である。
【図５】本発明の実施の形態にかかる基板ケースの斜視図の一例を示す説明図である。
【図６】本発明の実施の形態にかかる図５に示した基板ケースのＡ−Ａ矢視図の一例を示す説明図である。
【図７】本発明の実施の形態にかかる受信アンテナおよび非接触ＩＣタグの設置の一例を示す説明図である。
【図８】本発明の実施の形態にかかる受信アンテナおよび非接触ＩＣタグの設置の別の一例を示す説明図である。
【符号の説明】
【００９１】
３００  遊技機
３０２  サンド装置
３１０（３１０ａ，３１０ｂ，３１０ｃ）  基板ケース
３２０  裏カバー
３３１  受信アンテナ
３３２  非接触ＩＣタグ
３３３  ケーブル
３３４  検知部
５０１  設置領域
５０２  空白領域
５５０  制御基板
【図１】
2008289730.tif 000003
【図２】
2008289730.tif 000004
【図３】
2008289730.tif 000005
【図４】
2008289730.tif 000006
【図５】
2008289730.tif 000007
【図６】
2008289730.tif 000008
【図７】
2008289730.tif 000009
【図８】
2008289730.tif 000010